(57)【要約】【課題】ゆらぎの有る風を作り、ふくらみ及びやすらぎ感の有る風によって涼をとることができるゆらぎ送風具を提供する。【解決手段】羽根材を一軸の回りで往復動作又は回転動作させることにより、ゆらぎの有る風を作り、かつ送るゆらぎ送風具であって、前記羽根材の一方又は、両方の面に、羽根本体の寸法により食み出した寸法の布地を付設したことを特徴とする団扇及び扇風機等のゆらぎ送風具。【選択図】図1
2005130927.tif 000002
【特許請求の範囲】
【請求項１】
羽根材を一軸の回りで往復動作又は回転動作させることにより、ゆらぎの風を作り送るゆらぎ送風具であって、
前記羽根材の一方又は両方の面に、羽根本体の寸法より食み出した寸法の布地を付設したことを特徴とするゆらぎ送風具。
【請求項２】
前記布地は、細かい糸を織って作ったタオル布地であり、その端面はメロー縫いで仕上げられることを特徴とするゆらぎ送風具。
【請求項３】
前記送風具は団扇であり、前記羽根本体は形状土台を為す骨材に薄い紙を張って作った通常形状の団扇であることを特徴とする請求項１に記載のゆらぎ送風具。
【請求項４】
前記送風具は、一軸の回りに複数羽根を回転させる扇風機であることを特徴とするゆらぎ送風具。
【発明の詳細な説明】
【技術分野】
【０００１】
本発明は、団扇や扇風機等、羽根材を一軸の回りで往復動作又は回転動作させることにより涼を目的とする風を作り、送る送風具であって、特に心豊かなゆらぎの有る風を作ることができるゆらぎ送風具に関する。
【背景技術】
【０００２】
団扇は、把手の先に放射状の骨材を配置し、その表面に紙を張って作った簡易な送風具である。これは、把手の手持ち部分を軸として扇面を自分に向けて往復動作させることにより、間欠的な突風を作り、涼を取ることができる。
【０００３】
古来より使用されている団扇は、簡易ながら最も容易、手軽に涼を取ることができることができる送風具として今尚広く利用されている。その為、改良の余地に乏しく、種々の改良が見られるが、決定的な改良を与えることはできなかった。
【０００４】
例えば、実用新案公開平5-15826号公報（温風発生うちわ）は、扇面に発熱シートを被覆し、これに電池から電源供給し温風を得るというもので、暖は取れるか否かは別として涼を取ることは不可能である。登録実用新案第3011470号公報（うちわ）は、扇面の少なくとも一部に発光顔料を含む塗料を塗布し又は反射シートを貼付し、斬新デザインを可能とするというものであるが、風の内容が変わるものではない。
【特許文献１】実用新案公開平5-15826号公報、第1頁、図1
【特許文献２】登録実用新案第3011470号公報、第1頁、図1
【発明の開示】
【発明が解決しようとする課題】
【０００５】
本発明は、団扇や扇風機等、羽根材を一軸の回りで往復動作又は回転動作させることにより涼を目的とする風を作り、送る送風具において、ゆらぎの有る風を作り、やすらぎ感のある涼を取ることができるゆらぎ送風具を提供することを目的とする。
【課題を解決するための手段】
【０００６】
上記課題を解決することができる本発明のゆらぎ送風具は、羽根材を一軸の回りで往復動作又は回転動作させることにより、ゆらぎの有る風を作り、送るゆらぎ送風具であって、
前記羽根材の一方又は、両方の面に、羽根本体の寸法より食み出した寸法の布地を付設したことを特徴とする。
【０００７】
羽根材としては、団扇のような扇形のものの他、回転羽根のように平板を捩った形のものの例がある。布地の付設面は一方の面でも良く、両方の面でも良い。付設のし方は、糊や接着剤を用いて貼付するのが一般的であるが、ビス止め、一体成型その他の方法で付設しても良い。団扇の場合、布地の付設は、羽根本体の寸法より1〜3mm以上、好ましくは5mm前後食み出して付設することを必要とする。羽根本体の動作に遅れての追従風を作ることができるからである。
【０００８】
以上の構成により、風は布地面に触れて作られる。団扇の場合、羽根本体に次いで食み出し面（ヒレ）で追従風が作られる。風が布地面に触れると、風の粒子は布地面で砕かれて、局所的なゆらぎを形成する。布地面は布地素材である繊維が樹立するので、風は繊維の森を通過した形となる。局所的ゆらぎを備えた優しい森のゆらぎが醸し出される。団扇の場合、これに追従風による総合ゆらぎが加算される。
【０００９】
前記布地は、細かい糸を織って作ったタオル布地であり、その端面はメロー縫いで仕上げるのが好ましい。タオル布地はパイル糸を有し、風の粒子を程好く砕くことができるからである。メロー縫いとすることにより、端面エッジを除いて、粒径を細かく整えることができる。
【００１０】
送風具が団扇の場合、前記羽根本体としては形状土台を為す骨材に薄い紙を張って作った通常形状の団扇をそのまま用いることができる。通常団扇をそのまま用いることができるので、容易、安価に製造することができる。この場合、布地の食み出し部分（ヒレ）の寸法は5mm前後とする。
【００１１】
本発明は送風具が一軸の回りに複数羽根を回転させる扇風機である場合にも適用できる。羽根の一面又は両面に布地、特にタオル布地を付設することにより、森のゆらぎを与え、ふくらみ、やわらかみのあるゆらぎ風を作ることができる。1〜3mmのヒレを持たせることにより、追従ゆらぎに準じた風を作ることができ、ゆらぎの品質を高めることができる。羽根に布地を覆わせただけの構造であっても、縁は布地でなるので、小さなヒレを設けたのと略同等である。従って、扇風機の場合、意識的に作るヒレは必要条件ではない。
【発明の効果】
【００１２】
以上の通り本発明は、羽根材を一軸の回りで往復動作又は回転動作させることにより、ゆらぎの風を作り送るゆらぎ送風具であって、
前記羽根材の一方又は、両方の面に、比較的剛性高く形成された羽根本体の寸法により食み出した寸法の布地を付設したことを特徴とするゆらぎ送風具であるので、局所的及び追従的なゆらぎの有る風を作り、ふくらみの有るやすらぎ感の有る風により、涼を楽しませることができる。
【００１３】
布地を細かい糸を織って作ったタオル布地とすれば、風をきめ細かく砕くことができ、局所的ゆらぎを含めたふくらみのある、やさしさの有る風をつくることができる。また、端面をメロー縫いで仕上げれば、局所的な鋭利部分を除いてきめ細やかな風を作ることができる。
【００１４】
送風具が団扇で、羽根本体にヒレの有る布地を付設した場合、ヒレで追従風によるゆらぎを発生させることができ、ふくらみ、やさしさのある風を作ることができる。
【００１５】
送風具が複数の羽根を備えた扇風機で為る場合、扇面を布地とするので局所的なゆらぎを含めた風とすることができ、かつ端面にヒレ部を設ければ追従的なゆらぎを加算することもでき、ふくらみ及びやさしさの有るやすらぎ感の有る風を作ることができる。
【発明を実施するための最良の形態】
【００１６】
以下、添付図面を参照して本発明を実施するための最良の形態を説明する。図１〜図４は、本発明を団扇に適用した実施形態を示す説明図、図５は本発明を扇風機の羽根に適用した実施形態を示す説明図である。図３は、各部材の幅を拡大したモデルで示してある。
【００１７】
図１〜図３に示すように、本発明の一実施形態に係るゆらぎ団扇１は、竹製の本体２の表面に細かい糸を編んで作ったタオル布地３を糊で貼り付けて構成されている。
【００１８】
本体２は、竹の節部４を境として把手部５と中骨部６とに分け、節部４に穴を明け、ここに籤を通して扇の最外形状を取って作った外骨７と前記中骨部６とで全扇形状の骨部を形成し、その両面に薄い紙８を貼って作られている。この本体２は、通常団扇に相当する。紙８の端部はカバー紙９で止められる。
【００１９】
タオル布地３は、前記紙８の全周において、紙８の大きさより5mm位大きなサイズとされ、幅ｄのヒレ部１０を形成して糊（図示せず）を用いて貼付される。タオル布地３の外周はメロー縫いで仕上げ、縁部１１を形成している。
【００２０】
以上の構成のゆらぎ団扇１において、把手部５を手に持ち、手で扇ぐと、本体２の中骨部６が少し撓りつつ、図３において左右に揺れ、図上方に向けてゆらぎの有る風１２が作られ、送り出される。ここに、タオル布地３の表面にはパイル糸１３が存在するので、風は局所的に無数に砕かれてゆらぎの微分を生ずる。また、縁部１１はメロー縫いとされているので0.1〜1mm程度の目によって、微妙に細かく砕かれ、やわらかみのある風となる。
【００２１】
さらに、中骨部６の撓りに連れてヒレ部１０が追従して撓るので、追従風が生じ、大きなゆらぎを生じてふくらみ、及びやすらぎ感の有る風１２となる。
【００２２】
図５に示すように、本発明の風１２は、破線で示す通常の団扇により作られる風１４と異なり、追従風１５を有する。また、パイル糸１３を含めて布地表面を通過しているので風の成分が砕かれて微分風１６となり、局所的なゆらぎ１７を有する。通常の風１４のゆらぎに相当する雑音１８と比べ、やわらかく、やすらぎ感の有る成分である。
【００２３】
図５は、本発明を扇風機１９の羽根に適用した実施形態を示す正面図である。羽根２０の本体である樹脂製芯材２０の回りをタオル布地２１で被覆したものである。縁を縫い合わせてヒレ部１０を形成しても良く、しなくとも良い。羽根は連続して回転するので、図４に示すヒレ追従風１５の効果は薄いからである。ただし縁はタオル布地２１で覆われているので、短いヒレを設けたのと同様に、風を切る位置において、実質的に短いヒレを設けたのと同様であり、風をきめ細かく砕き、局所的なゆらぎに加えて小さな追従風１５を含み、ふくらみの有る風とすることができる。
【００２４】
本発明は、上記実施の形態に限定されるものではなく、本発明の要旨を逸脱しない範囲で適宜設計的変更を加えることができ、各種態様で実施できる。
【図面の簡単な説明】
【００２５】
【図１】本発明の一実施形態に係る団扇の表を示す正面図である。
【図２】図１に示す団扇の裏面図である。
【図３】図１及び図２に示す団扇の側面図である。図１の右側面図、図２の左側面図に相当する。
【図４】本発明の作用を示し、横軸を時間、縦軸を風力で示す説明図である。
【図５】本発明の他の実施の形態に係る扇風機の羽根を示す正面図である。
【符号の説明】
【００２６】
１  ゆらぎ団扇
２  本体
３、２１  タオル布地
４  竹の節部
５  把手部
６  中骨部
７  外骨
８  薄い紙
９  カバー紙
１０  ヒレ部
１１  縁部
１２  風
１３  パイル糸
１４  通常風
１５  追従風
１６  微分風
１７  局所的なゆらぎ
１８  雑音
１９  扇風機
２０  芯材
【図１】
2005130927.tif 000003
【図２】
2005130927.tif 000004
【図３】
2005130927.tif 000005
【図４】
2005130927.tif 000006
【図５】
2005130927.tif 000007